(57)【要約】【課題】コーナーブロックを使用せずに方立１と上枠２及び下枠３とを連結することができ、外観意匠や組み立て性に優れ、コストが低く、断熱性にも優れる。【解決手段】建物外壁の出隅部又は入隅部を構成する金属製の２組の開口部Ａ、Ｂのそれぞれの開放側の端部を連結して形成したコーナー部に方立１を設け、２組の開口部Ａ、Ｂの上枠２及び下枠３のコーナー側の端部は互いに切断して斜めに突合せ連結され、方立１の上下端をコーナー部の上下枠２、３の突合せ部に当接配置して固定し、上枠２、下枠３、縦枠４及び方立１の室外側に形成されたガラス保持部８と、上枠２、縦枠４及び方立１の室内側に設けられた着脱可能な合成樹脂製の押縁３０、３１、２９（押縁部２９ａ）との間にガラス３５を挟持固定し、押縁３０、３１、２９（押縁部２９ａ）によって室内側に略一体の断熱面を形成した。【選択図】図３
2010275752.tif 000002
【特許請求の範囲】
【請求項１】
建物外壁の出隅部又は入隅部を構成する金属製の２組の開口部のそれぞれの開放側の端部を連結してコーナー部を形成し、該コーナー部に方立を設けたコーナーサッシ窓であって、前記２組の開口部の上枠及び下枠のコーナー側の端部は互いに斜めに切断して突合せ連結され、前記方立の上下端を前記コーナー部の上下枠の突合せ部に当接配置して固定し、前記上枠、下枠、縦枠及び方立の室外側に形成されたガラス保持部と、前記上枠、縦枠及び方立の室内側に設けられた着脱可能な合成樹脂製の押縁（押縁部）との間にガラスを挟持固定し、前記押縁（押縁部）によって室内側に略一体の断熱面を形成したことを特徴とするコーナーサッシ窓。
【請求項２】
前記方立は金属製の方立本体とガラス保持用押縁を兼用する合成樹脂製の樹脂方立と、前記方立本体に固定されて上記樹脂方立を方立本体に固着する樹脂方立取付部材とからなることを特徴とする、請求項１に記載のコーナーサッシ窓。
【請求項３】
前記方立は、金属製の方立本体と、該方立本体の室内側露出部分を覆う合成樹脂製の樹脂方立と、該樹脂方立に着脱自在に設けられた合成樹脂製押縁とからなることを特徴とする、請求項１に記載のコーナーサッシ窓。
【請求項４】
前記方立本体と樹脂方立は、それぞれが一体形成されており、スライド又は拡幅により嵌合固着されていることを特徴とする、請求項３に記載のコーナーサッシ窓。
【請求項５】
前記縦枠用押縁と樹脂方立とは、前記２組の開口部の上枠用押縁と下枠の室内側露出部分を覆う合成樹脂製のカバー材との間に設けられていることを特徴とする、請求項２〜４のいずれかに記載のコーナーサッシ窓。
【発明の詳細な説明】
【技術分野】
【０００１】
本発明は、建物外壁の出隅部又は入隅部に形成された窓開口部に取り付ける、断熱複合構造のコーナーサッシ窓に関する。
【背景技術】
【０００２】
一般に、建物において２組の外壁が直角に突合せられるコーナー部に窓開口部が形成される場合、両外壁に設けられた開口部の突合せ側は開放されているので、そのままでは両外壁の開口部に設けられたガラスが直接に突合せられることになり、この場合、強度に問題がある。このため、通常はコーナー部に方立を立て、この方立で両開口部の開放部を閉じるとともに、両外壁の開口部に設けられたガラスの開放側の端部を方立に嵌めこんで取り付けることが行われている。そして、このようなコーナーサッシ窓には、方立の上下端部にコーナーブロックを配設し、コーナーブロックを介して方立と上枠及び下枠とを連結していた（特許文献１参照）。
【先行技術文献】
【特許文献】
【０００３】
【特許文献１】特開平１１−１０７６２８号公報
【発明の概要】
【発明が解決しようとする課題】
【０００４】
しかしながら、上述の窓は、両外壁の開口部の上下枠のコーナー側の端部を直角に切断し、各端部がコーナーブロックに当接するとともに、方立の上下端も方立に当接する構成であったから、コーナーブロックは上下枠と方立が集中する部分に設けられるので外部に露出し、方立と上枠及び下枠との連結部の外観意匠がごつくてスマートさに欠け、構造が複雑なので、コスト的にも高くなり、組み立て性もよいとはいえなかった。
【０００５】
本発明は、上記問題点を解消し、コーナーブロックを使用せずに方立と上枠及び下枠とを連結することができ、連結部の外観意匠に優れるとともに、コストを低く抑えることができ、組み立て性もよく、さらには断熱性にも優れるコーナーサッシ窓を提供することをその課題とする。
【課題を解決するための手段】
【０００６】
前記課題を解決するため、請求項１に係る発明は、建物外壁の出隅部又は入隅部を構成する金属製の２組の開口部のそれぞれの開放側の端部を連結してコーナー部を形成し、該コーナー部に方立を設けたコーナーサッシ窓であって、前記２組の開口部の上枠及び下枠のコーナー側の端部は互いに斜めに切断して突合せ連結され、前記方立の上下端を前記コーナー部の上下枠の突合せ部に当接配置して固定し、前記上枠、下枠、縦枠及び方立の室外側に形成されたガラス保持部と、前記上枠、縦枠及び方立の室内側に設けられた着脱可能な合成樹脂製の押縁（押縁部）との間にガラスを挟持固定し、前記押縁（押縁部）によって室内側に略一体の断熱面を形成したことを特徴とする。
【０００７】
請求項２に係る発明は、請求項１において、前記方立は金属製の方立本体とガラス保持用押縁を兼用する合成樹脂製の樹脂方立と、上記方立本体に固定されて前記樹脂方立を方立本体に固着する樹脂方立取付部材とからなることを特徴とする。
【０００８】
請求項３に係る発明は、請求項１において、前記方立は、金属製の方立本体と、該方立本体の室内側露出部分を覆う合成樹脂製の樹脂方立と、該樹脂方立に着脱自在に設けられた合成樹脂製押縁とからなることを特徴とする。
【０００９】
請求項４に係る発明は、請求項３において、前記方立本体と樹脂方立は、それぞれが一体形成されており、スライド又は拡幅により嵌合固着されていることを特徴とする。
【００１０】
請求項５に係る発明は、請求項２〜４のいずれかにおいて、前記縦枠用押縁と樹脂方立とは、前記２組の開口部の上枠用押縁と下枠の室内側露出部分を覆う合成樹脂製のカバー材との間に設けられていることを特徴とする。
【発明の効果】
【００１１】
請求項１に係る発明は、建物外壁の出隅部又は入隅部を構成する金属製の２組の開口部の上枠及び下枠のコーナー側の端部は互いに斜めに切断して突合せ連結され、方立の上下端を前記コーナー部の上下枠の突合せ部間に当接配置して固定する構成であるから、両開口部の上下枠同士及び上下枠と方立は直接に当接し、コーナーブロックを使用することなしに連結することができ、連結部の外観意匠もスマートで洗練されたものになるとともに、コストを低く抑えることができる。また、組み立て性もよい。さらに、コーナーサッシ窓のガラスは、上枠、下枠、縦枠及び方立の内側面に形成されたガラス保持部と、上枠、縦枠及び方立の室内側に設けられた着脱可能な合成樹脂製の押縁（押縁部）との間に挟持固定され、上記押縁によって室内側に略一体の断熱面を形成した構成であるから、ガラスの取り付け作業が容易であるとともに、断熱性のよいコーナーサッシ窓を得ることができる。
【００１２】
請求項２に係る発明によれば、コーナー部の方立は金属製の方立本体と合成樹脂製の樹脂方立と、該樹脂方立を方立本体に固着する樹脂方立取付部材とからなるので、構造がシンプルで、コストダウンを図ることができ、組み立て性もよく、室内側には合成樹脂製の押縁が配置されているので、断熱性もよい。
【００１３】
請求項３に係る発明によれば、方立は、金属製の方立本体と、該方立本体の室内側露出部分を覆う合成樹脂製方立と、該合成樹脂製方立に着脱自在に設けられた合成樹脂製押縁とからなるから、構造がシンプルでコストを低く抑えることができ、また組み立て性に優れ、断熱性もよい。
【００１４】
請求項４に係る発明によれば、方立本体と樹脂方立は、それぞれが一体形成されており、スライド又は拡幅により嵌合固着されているから、部品点数が少なくて済み、構造がシンプルでコストを低く抑えることができ、また組み立て性もよい。
【００１５】
請求項５に係る発明によれば、縦枠用押縁と樹脂方立は、２組の開口部の上枠用押縁と下枠の室内側露出部分を覆う合成樹脂製のカバー材との間に設けられているから、ガラスの取り付けが容易であるとともに、押縁の組み立て性もよい。
【図面の簡単な説明】
【００１６】
【図１】本発明に係るコーナーサッシ窓の横断面図
【図２】図１のＸ−Ｘ線上の断面図
【図３】図１に対応して窓部のみを示す断面図
【図４】図２に対応して窓部のみを示す断面図
【図５】方立の分解図
【図６】コーナーサッシ窓の取付順を示す説明図
【図７】他のコーナーサッシ窓の窓部のみを示す断面図
【図８】図７のＹ−Ｙ線上の断面図
【図９】方立の分解図
【発明を実施するための形態】
【００１７】
以下に、本発明の実施形態を図面によって説明する。図１は本発明に係るコーナーサッシ窓の横断面図、図２は図１のＸ−Ｘ線上の断面図である。図３及び図４はそれぞれ図１及び図２に対応して窓部のみを示す断面図である。
【００１８】
上記コーナーサッシ窓は建物外壁の出隅部又は入隅部を構成する金属製の２組の開口部Ａ、Ｂのそれぞれの開放側の端部を連結してコーナー部を形成し、該コーナー部に方立１を設けた構造で、上枠２はまぐさ５、下枠３は窓台６、縦枠４は柱７に固定されている。
【００１９】
また、上記２組の開口部Ａ、Ｂの上枠２及び下枠３のコーナー側の端部は４５度に切断されて図１に点線で示すように斜めに突合せ連結されることによりコーナー部が形成されている。そして、上記両開口部Ａ、Ｂの上枠２及び下枠３の柱７側の端部は、図４のように縦枠４の側面に当接して固定されている。
【００２０】
次に、方立１はアルミニウムの押出形材から構成され、図３及び図５に示されるように、略正方形の角筒状本体１ａの隣り合う２面からガラス保持部８を延長形成し、さらに室内側に臨む角部を斜め４５度の斜面１０として形成している。この角部斜面１０には略コ字形の樹脂方立取付部材１１がビス止め固定可能となっている。樹脂方立取付部材１１は金属製のコ字形部材で、両側片の中間部には段部１２が形成されている。樹脂方立取付部材１１には合成樹脂製の樹脂方立１３が係止可能に構成されている。樹脂方立１３には樹脂方立取付部材１１の段部１２に係止可能な２つの係止縁１４が形成されているとともに、開口部Ａ側と開口部Ｂ側とにそれぞれ押縁部２９ａが一体に形成されているから、樹脂方立１３は押縁を兼用している。
【００２１】
上記方立１はコーナー部に配置されている。そして、方立１の上下端はそれぞれ上記２組の開口部Ａ、Ｂの上枠２及び下枠３の突合せ端部の各下面と上面とに当接するように配置され、図４に示すＬ形ブラケット１５を介して上枠２と下枠３とに連結固定されている。
【００２２】
上記上枠２、下枠３、縦枠４及び方立１にはガラス取付部が形成され、ガラス取付部の室外側にはそれぞれガラス保持部８が突出形成され、ガラス保持部８の先端にはビード材１７が固定されている。
【００２３】
なお、上記２組の各開口部Ａ、Ｂの上枠２、下枠３及び縦枠４の室内側は、合成樹脂製のカバー材（カバー部）１８ａ、１８ｂ、１８ｃによって覆われている。これらのカバー材１８ａ、１８ｂ、１８ｃはコーナー部で直角に屈曲して、２組の開口部Ａ、Ｂに連続する額縁を構成している。すなわち、図４に示すように、上枠２のカバー材１８ａは金属製の上枠本体２ａに一体的に結合された上枠部２０ａとまぐさ５に固定された上縁部２０ｂとから略Ｚ字形に形成されている。上枠部２０ａは上枠本体２ａの室内側に形成された取付凹部２１に嵌め込まれ、取付凹部２１の係止溝２２と係止片２３とに係止することによって固定されている。
【００２４】
下枠３のカバー材１８ｂは金属製の下枠本体３ａに一体的に結合された下枠部２４ａと窓台６に固定された下縁部２４ｂとから略Ｚ字形に形成されている。下枠部２４ａは下枠本体３ａの室内側に形成された取付凹部２１に嵌め込まれ、取付凹部２１の係止溝２２と係止片２３とに係止することによって固定されている。
【００２５】
縦枠４のカバー材１８ｃは、図３に示されるように、金属製の縦枠本体４ａに一体的に結合された縦枠部２５ａと柱７に固定された側縁部２５ｂとから略Ｚ字形に形成されている。縦枠部２５ａは縦枠本体４ａの室内側に形成された取付凹部２１に嵌め込まれ、取付凹部２１の係止溝２２と係止片２３とに係止することによって固定されている。
【００２６】
なお、上枠２と縦枠４のカバー材１８ａ、１８ｃの上縁部２０ｂと側縁部２５ｂとには、内外２つの係止部２６、２７が形成されている。これに対応し、上枠２と縦枠４には押縁３０、３１が係脱可能に設けられている。これらの押縁３０、３１には、上枠２と縦枠４の各カバー材１８ａ、１８ｃの２つの係止部２６、２７に係止可能な係止脚３２、３３が形成されている。なお、押縁３０、３１と樹脂方立１３にもビード材１７が取り付けられている。
【００２７】
次に、２つの開口部Ａ、Ｂにガラス３５を取り付けるときは、まず上枠２、下枠３及び縦枠４にカバー材１８ａ、１８ｂ、１８ｃを取り付けておく。次に、図６の（手順１）のように、一方の開口部Ａの下枠３の上にガラス３５を載せて嵌めこみ、ガラス３５の室外側の面を上下枠２、３と方立１のガラス保持部８に当接させる。このとき、ガラス３５の下部は下枠３のガラス保持部８とカバー材１８ｂとによって保持される。そして、同図の（手順２）（手順３）のように、上枠２と縦枠４のカバー材１８ａ、１８ｃの上縁部２０ｂと側縁部２５ｂに上部押縁３０と側部押縁３１を係止させることにより、ガラス３５を仮止め状態とする。さらに他方の開口部Ｂにも同様にしてガラス３５を仮止め状態とする。その後、同図の（手順４）（手順５）のようにコーナー部の方立本体１ａの角部斜面１０に樹脂方立取付部材１１をビス止め固定し、さらに樹脂方立取付部材１１に樹脂方立１３を係止固定する。樹脂方立１３には２つの係止縁１４が形成され、これらの係止縁１４の先端を樹脂方立取付部材１１の段部１２に係止すればよい。同時に、押縁部２９ａがガラス３５の表面を押圧保持する。これにより、２枚のガラス３５の四周は全て内外から挟持されて固定される。
【００２８】
なお、縦枠用の側部押縁３１と樹脂方立１３は、上記２組の開口部Ａ、Ｂの上枠用押縁３０と下枠３の室内側露出部分を覆う合成樹脂製のカバー材１８ｂとの間に設けられている。
【００２９】
上述のように、建物外壁の出隅部を構成する金属製の２組の開口部Ａ、Ｂの上枠２及び下枠３のコーナー側の端部は互いに斜めに突合せ連結され、方立１の上下端を前記コーナー部の上下枠２、３の突合せ部に当接配置して固定する構成であるから、両開口部Ａ、Ｂの上下枠２、３同士及び上下枠２、３と方立１は直接に当接し、従来のようなコーナーブロックを使用することなしに連結することができ、連結部の外観意匠もスマートで洗練されたものになるとともに、コストを低く抑えることができる。また、組み立て性もよい。さらに、コーナーサッシ窓のガラス３５は、上枠２、下枠３、縦枠４及び方立１の内側面に形成されたガラス保持部８と、上枠２、縦枠４及び方立１の各室内側に設けられた着脱可能な合成樹脂製の押縁３０、３１と押縁部２９ａとの間に挟持固定され、上記押縁３０、３１、押縁部２９ａによって室内側に略一体の断熱面を形成した構成であるから、ガラス３５の取り付け作業が容易であるとともに、断熱性にも優れる。
【００３０】
また、コーナー部の方立１は金属製の方立本体１ａと樹脂方立１３と、該樹脂方立１３を方立本体１ａに固着する樹脂方立取付部材１１とからなるので、構造がシンプルで、コストダウンを図ることができ、組み立て性もよく、室内側には合成樹脂製の押縁部２９ａが配置されているので、断熱性もよい。
【００３１】
さらに、縦枠用押縁１８ｃと樹脂方立１３は、２組の開口部Ａ、Ｂの上枠用押縁３０と下枠３の室内側露出部分を覆う合成樹脂製のカバー材１８ｂとの間に設けられているから、ガラス３５の取り付けが容易であるとともに、押縁の組み立て性もよい。
【００３２】
次に、図７及び図８は建物外壁の入隅部を構成する金属製の２組の開口部のコーナーサッシ窓を、図３及び図４と対応させて示した断面で、上下枠２、３及び縦枠４とこれらに取り付けられたカバー材１８ａ、１８ｂ、１８ｃと押縁３０、３１の構成およびその取付態様は、いずれも前述の出隅部の実施形態に示したものと同じであるから、同じ符号で示し、詳細の説明は省略する。
【００３３】
図９に示されるように、コーナー部に配置された方立１は、アルミニウムの押出形材から構成された略角筒状の方立本体１ａと、方立本体１ａの室内側の隣り合う２面を覆うように設けられた合成樹脂製の樹脂方立１３とから構成されている。
【００３４】
方立本体１ａの室外側に臨む角部には直角にガラス保持部８が突出形成されている。また、方立本体１ａには室内側に臨むように２つの開口部Ａ、Ｂ側に向けて断面Ｌ形の凹部３６が形成されている。
【００３５】
樹脂方立１３は断面がＬ字形に屈曲し、内側に複数の間隔保持片３７が突出しているとともに、先端には室外側に突出する突部３８が形成されている。樹脂方立１３は方立本体１ａの外側から嵌合され、方立本体１ａの凹部３６に係合している。なお、樹脂方立１３の突部３８を方立本体１ａに嵌合するためには、樹脂方立１３の端部を方立本体１ａの端部からスライドさせて嵌合させてもよく、あるいは樹脂方立１３の弾性を利用し、両突部３８側を拡幅させて嵌合させてもよい。図７に示されるように、樹脂方立１３の各突部３８は方立本体１ａの凹部３６に係合し、ビス固定されている。
【００３６】
なお、樹脂方立１３には別体の押縁２９が係止可能となっている。
【００３７】
方立本体１ａの上下端はそれぞれ上記２組の開口部Ａ、Ｂの上枠２及び下枠３の突合せ端部の各下面と上面とに当接するように配置され、図８のようにＬ形ブラケット１５を介して上枠２と下枠３とに連結固定されている。
【００３８】
次に、２つの開口部Ａ、Ｂにガラス３５を取り付けるときは、前述の実施形態の場合と同様にすればよい。すなわち、まずコーナー部に樹脂方立１３を取り付けた方立本体１ａをブラケット１５によって上枠２と下枠3との傾斜端部間に固定する。また、上枠２、下枠３及び縦枠４にカバー材１８ａ、１８ｂ、１８ｃを取り付けておく。次に、一方の開口部Ａの下枠３の上にガラス３５を載せて嵌めこみ、ガラス３５の室外側の面を上下枠２、３と縦枠４と方立１のガラス保持部８に当接させる。このとき、ガラス３５の下部は下枠３のガラス保持部８とカバー材１８ｂとによって保持される。そして、上枠２と縦枠４のカバー材１８ｂに上部押縁３０と側部押縁３１を係止させることにより、ガラス３５を仮止め状態とする。さらに他方の開口部Ｂにも同様にしてガラス３５を仮止め状態とする。最後に樹脂方立１３の２つの係止部２６、２７に押縁２９の係止脚３２、３３を係止させればよい。これにより、２枚のガラス３５の四周は全て室外からはガラス保持部８により、室内からは押縁３０、３１、２９により挟持されて固定される。
【００３９】
なお、縦枠用の押縁３１と方立用押縁２９を含む樹脂方立１３は、上記２組の開口部Ａ、Ｂの上枠用押縁３０と下枠３の室内側露出部分を覆う合成樹脂製のカバー材１８ｂとの間に設けられている。
【００４０】
上記実施形態の場合も、建物外壁の入隅部を構成する金属製の２組の開口部Ａ、Ｂの上枠２及び下枠３のコーナー側の端部は互いに斜めに突合せ連結され、方立１の上下端もコーナー部の上下枠２、３の突合せ部に当接配置して固定されている。そして、両開口部Ａ、Ｂの上下枠２、３同士及び上下枠２、３と方立１は直接に当接し、コーナーブロックを使用することなしに連結することができ、連結部の外観意匠もスマートで洗練されたものになるとともに、コストを低く抑えることができる。また、組み立て性もよい。さらに、コーナーサッシ窓のガラス３５は、上枠２、下枠３、縦枠４及び方立１の外側面に形成されたガラス保持部８と、上枠２、縦枠４及び方立１の室内側に設けられた着脱可能な合成樹脂製の押縁３０、３１、２９との間に挟持固定され、上記押縁３０、３１、２９によって室内側に略一体の断熱面を形成した構成であるから、ガラス３５の取り付け作業が容易であるとともに、断熱性にも優れる。
【００４１】
また、方立１も、金属製の方立本体１ａと、該方立本体１ａの室内側露出部分を覆う樹脂製方立１３と、該樹脂製方立１３に嵌合固着される合成樹脂製押縁２９とからなるから、構造がシンプルでコストを低く抑えることができ、また組み立て性もよくて断熱性のよいコーナーサッシ窓を得ることができる。
【００４２】
しかも、方立本体１ａと樹脂方立１３は、それぞれが一体形成されており、スライド又は拡幅により嵌合固着されているから、部品点数が少なくて済み、構造がシンプルでコストを低く抑えることができ、また組み立て性もよい。
【００４３】
さらに、上記形態においても、縦枠用押縁３１と樹脂方立１３は、２組の開口部Ａ、Ｂの上枠用押縁３０と下枠３の室内側露出部分を覆う合成樹脂製のカバー部１８ｂとの間に設けられているから、ガラス３５の取り付けが容易であるとともに、押縁の組み立て性もよい。
【符号の説明】
【００４４】
Ａ、Ｂ  開口部
１    方立
２  上枠
３  下枠
４  縦枠
８  ガラス保持部
１３    樹脂方立
２９ａ  押縁部
２９、３０、３１  押縁
３５  ガラス
【図１】
2010275752.tif 000003
【図２】
2010275752.tif 000004
【図３】
2010275752.tif 000005
【図４】
2010275752.tif 000006
【図５】
2010275752.tif 000007
【図６】
2010275752.tif 000008
【図７】
2010275752.tif 000009
【図８】
2010275752.tif 000010
【図９】
2010275752.tif 000011